(57)【要約】【課題】本発明は、３行３列の鍵盤を持つ携帯入力端末の和文入力の方式の改善を目指すものである。【解決手段】現在、従来の４行３列のいわゆるテンキー型の入力方式をさらに小型化して、３行３列の鍵盤を持つ携帯入力端末が、発明されている。この方式においては、形式的母音と、形式的子音あるいは子音群の間の自動的な鍵盤の交代を基礎としているが、その場合、促音の入力においては一旦入力した字母を別の鍵を押し下げることによって小型化する方式が採られており、さらに鼻音の入力は、形式的子音としての子音符と形式的母音としての鼻音符との結合として設計されている。本発明は、子音鍵としてのｎ鍵を普通よりやや長く押し下げることによって、ん、の入力を行い、子音鍵ｔと形式的母音鍵としての促音符の結合として、っ、の入力を行うことによって、鍵の押し下げ回数を減少させ、さらに入力のリズムを改良する。【選択図】図１
2013131195.tif 000002
【特許請求の範囲】
【請求項１】
３行３列の鍵盤をもつ携帯入力端末の和文入力において、すべての鍵を形式的子音と形式的母音に分け、そのうちの２行３列に形式的子音の一部と形式的母音のすべてを置き、これらの２行３列に置かれた形式的子音と形式的母音の間に自動的交代を実現するとともに、その他の１行３列に残された形式的子音の入力を割り当て、この１行３列の鍵は一回の押し下げの場合も連続して押し下げられた場合も、ともに子音鍵として機能するように設定し、さらに、この１行３列の鍵は、それらが押し下げられた後に、先の２行３列の鍵を押し下げた場合には、この２行３列の鍵が母音として入力されるように設定することによって、３行３列の鍵盤をもつ携帯入力端末の和文入力において、すべての字母を形式的に子音と母音に分けて、子音あるいは子音群と母音との間に自動的交代を実現する入力方式において、そのうちの２行３列に置かれた母音鍵盤に５個の母音とともに形式的母音として、子音鍵盤に置かれたｔと結合して、促音である、っ、の入力を担う促音符を設定し、同じこの２行３列に置かれた子音鍵盤のｎの鍵については、それが普通に押し下げられたときには、その音価どおりにｎを表す子音として入力され、やや長く押し下げられたときには、鼻音、ん、が入力されるように設定された携帯端末の入力方式。
【発明の詳細な説明】
【技術分野】
【０００１】本発明は携帯入力端末の和文の入力方式に関するものである。
【背景技術】
【０００２】現在、携帯入力端末等の小型電子機器は、半導体技術の発展によって以前のコンピューターに匹敵するきわめて高度の機能を持つにいたっている。【０００３】これらの小型電子機器に対する基本的な要求は、入力鍵盤の鍵数を少なくして、機器自体の小型化を図るとともに、入力動作の効率化を図ることである。【０００４】現在、携帯電話においてスタンダードな地位にあるのは、特許文献１に始まるいわゆるテンキー型であり、テンキーに五十音図の十行五段の文字配列を対応させて、４行３列の各鍵に子音行を代表させ、子音行の鍵の連打によって、その母音価を決定する方式である。【０００５】この方式は、日本人の脳裏に五十音として意識化されている日本語の音韻体系に対応したきわめて優れた方式であるが、この長所を受け継いだままで、４行３列の鍵盤を３行３列の鍵盤に組み替える方式が、特許文献２の方式である。【０００６】この方式は、３行３列の鍵盤のなかの２行３列の鍵にすべての形式的母音と形式的子音の一部を配置して、両者のあいだに子音と母音の自動的交代のシステムを設定するととともに、のこりの１行３列の鍵に１回の鍵の押し下げと２回の鍵の押し下げによって、それぞれ異なる子音を入力させて、これらの鍵の押し下げの直後に、２行３列の鍵を押し下げた場合には、この２行３列の鍵が母音鍵として入力されるように設定することによって、３行３列の鍵盤によって子音および子音群と母音との間の自動的交代を実現して、高度の入力機能を実現するものである。
【先行技術文献】
【特許文献】
【特許文献１】  特許公開２００１−１７５３９１
【特許文献２】  特許公開２００９−２１７７８７
【発明の概要】
【発明が解決しようとする課題】
【０００７】本発明が解決しようとする課題は、前記特許文献２において発明された３行３列の鍵盤によって子音および子音群と母音との間の自動的交代を実現する方式において採用された、促音の入力および鼻音の入力方式を改善して、そのヒューマンインターフェイスをより十全なものにしようとする点にある。【０００８】すなわち、本発明は、特許文献２において採用された３行３列の鍵盤とその入力方式を基本的に踏襲しながら、その一部を改善して、よりスムーズで快適なヒューマンインターフェイスを実現しようとするものである。【０００９】特許文献２においては、促音の入力を１行３列の子音鍵盤に置かれた文字大小鍵を押し下げることによって、すでに入力された字母、つ、を小型化して、っ、の字母を入力するという方式を取っている。【００１０】この方式によれば、たとえば「やっと」と入力する場合には、まず１行３列の子音鍵盤でｙを入力したあと自動的に２行３列の母音鍵盤に入ってａを入力して「や」の入力を完成し、自動的に２行３列の子音鍵盤に入ってｔを入力したあと自動的に２行３列の母音鍵盤に入ってｕを入力して「つ」の入力を完成し、ここで１行３列の子音鍵を２度押し下げてこの「つ」を「っ」に変換し、ふたたび、自動的に２行３列の子音鍵盤に入ってｔを入力したあと自動的に２行３列の母音鍵盤に入ってｏを入力して「と」の入力を完成する。【００１１】すなわち、特許文献２の方式によれば、「やっと」の入力には、８度の鍵の押し下げが必要となる。【００１２】この同じ文章の、現在のいわゆるテンキー方式による入力においては、まず、「や」を１回の鍵の押し下げで入力した後、「っ」を６回の鍵の押し下げで入力し、さらに「と」を５回の鍵の押し下げで入力するので、合計１２回になるので、特許文献２の方式の方が勝っているが、いったん入力した「つ」を文字大小鍵によって、「っ」と変換することは、単に２回の鍵の押し下げが増加するだけではなく、各字母をこの場合には子音鍵盤と母音鍵盤各１回の押し下げの合計２回で実現し、その他のやや押し下げ回数の多い少数の字母の場合でも、たとえば「ぱ」や「わ」を子音鍵盤２回、母音鍵盤１回の合計３回で入力するのに対して、入力のリズムを崩すことにより、ヒューマンインターフェイスに悪影響がある。
【課題を解決するための手段】
【００１３】これに対して、本発明においては、２行３列の子音鍵盤でｔを入力したあと、自動的に母音鍵盤に入って、促音符を押し下げることによって、「っ」を入力する方式を取ることによって、促音の場合も通常の字母と同様に２回の鍵の押し下げによって実現して、鍵の押し下げ回数を節約するとともに、入力のリズムへの悪影響を除去する。【００１４】同様に、鼻音の入力に当たっては、特許文献２のように、わざわざ２行３列の母音鍵盤に鼻音符を設定することなく、２行３列の子音鍵盤のｎを普通に押し下げた場合には子音ｎが入力され、普通よりやや長く押し下げた場合には、「ん」が入力されるとともに、この２行３列の鍵盤が再び子音鍵盤となるように設定することによって、１回の鍵の押し下げで「ん」を入力できるようになる。【００１５】特許文献２の場合も、本発明の場合も、２行３列の子音鍵盤に置かれたｎ以外の鍵は、その押し下げの時間の長短によって、ｋとｇ、ｓとｚ、ｔとｄ、ｈとｂという、２種の字母の入力機能を持たされているので、おなじ鍵盤に置かれたｎの鍵が、「ｎ」と「ん」という２種の入力を持たされることには、ヒューマンインターフェイスの上で困難は生じないと思われる。
【発明の効果】
【００１６】今、現行のテンキー方式と、特許文献２の方式と、本発明の方式で、それぞれ、「特許出願審査請求書」（とっきょしゅつがんしんさせいきゅうしょ）と入力することにする。【００１７】現行のテンキー方式では、とで５回、っで６回プラス１回、きで２回、ょで６回、しで２回、ゅで５回、つで３回、がで２回、んで３回、しで２回、んで３回、さで１回、せで４回プラス１回、いで２回、きで２回、ゅで５回、うで３回、しで２回、ょで６回、合計６６回の鍵の押し下げが必要になる。【００１８】特許文献２の方式では、とで２回、っで４回、きょで３回、しゅで３回、つで２回、がで２回、んで２回、しで２回、んで２回、さで２回、せで２回、いで２回、きゅで３回、うで２回、しょで３回、合計３６回の鍵の押し下げが必要になる。【００１９】さらに、本発明の方式では、とで２回、っで２回、きょで３回、しゅで３回、つで２回、がで２回、んで１回、しで２回、んで１回、さで２回、せで２回、いで２回、きゅで３回、うで２回、しょで３回、合計３２回の鍵の押し下げが必要になる。【００２０】したがって、本発明の方式は、現行のテンキー方式のおよそ半分の鍵の押し下げ回数で、同様の内容を入力できるし、特許文献２の方式と比べても、４回、すなわちほぼ一割少ない鍵の押し下げ回数で同様の内容を入力できる。【００２１】特許文献２の方式と本発明の方式の、現行の方式に対する優位は明らかであるが、さらに、本方式は、特許文献２の方式が、促音っの入力に当たって通常の入力のリズムを壊しているのに対して、まったく通常のリズムでの入力が可能であり、鼻音の入力に当たっては、鍵の押し下げ数が１回少ない反面、通常のリズムをやや壊しているように見えるが、これは、特許文献２の方式が、ｋ、ｓ、ｔ、ｄ、の４鍵が濁音に変化する際にやや長い押し下げ時間が設定されているのに対して、同じ鍵盤に置かれたｎのみには、そのような変化が無いのに対して、本発明の方式においては、ｎにも同様のバリェーションが用意されることになり、ヒューマンインターフェイスの面から言えば、プラスになる面もある。【００２２】さらに、同様の内容を現行のパソコンによって入力した場合には、ｔｏｋｋｙｏｓｙｕｔｕｇａｎｎｓｉｎｎｓａｓｅｉｋｙｕｕｓｙｏとなり、合計３１回の鍵の押し下げが必要になるが、この回数は本発明の３２回と大きな違いはない。
【図面の簡単な説明】
【００２３】
【図１】  ［図１］は、本方式による入力の場合の、字母の配置を示した図であり、その１は、すべての形式的子音鍵の中の一部で、本発明におけるすべての形式的母音鍵と自動的交代関係に入る２行３列の子音鍵、および１回の押し下げによって常に子音として入力され、それが押し下げられた直後に押し下げられる鍵を形式的母音に変化させる１行３列の鍵を示す図であり、その２は、すべての形式的母音鍵からなる２行３列の母音鍵、および連続２回の押し下げによって常に子音として入力され、それが押し下げられた直後に押し下げられる鍵を形式的母音に変化させる１行２列の鍵とこれと同じ１行に属しながら、その鍵を押し下げるとその直前に入力された平かな字母の大小を変化させるとともに、その直後に押し下げられた２行３列の鍵を子音鍵に変化させるように設定された鍵を示す図である。
【発明を実施するための形態】
【００２４】  携帯電話、電子辞書等。
【産業上の利用可能性】
【００２５】以上のように、本発明は、３行３列の鍵盤を持った小型入力端末において、従来のパソコンに近い入力操作性を実現した。【００２６】ここから予想されることは、携帯端末へのアクセスが著しく容易になり、携帯端末のユーザーが一層増加するとともに、携帯端末の使用面が拡大することである。【００２６】しかも、本発明は字音とキーストロークシーケンスの１対１の対応の上にたつものであるから、従来の辞書技術は基本的にそのまま活用できるので、移行に困難が無い。
【図１】
2013131195.tif 000003